(57)【特許請求の範囲】
【請求項１】
静止画像または動画像を撮影する撮像装置であって、
ボディ部と、
当該ボディ部の延出方向に交差する方向を回転軸として、前記ボディ部に回転可能に設けられたレンズ部と、を備え、
前記レンズ部は、前記ボディ部の延出方向に交差する方向に延出する略同一径が連続する柱形状であり、当該レンズ部の先端側には、レンズが設けられ、
前記ボディ部には、画像を表示する表示部が設けられ、
レンズ部の延出方向が前記ボディ部の延出方向に対して略平行となり、該レンズ部と該ボディ部が略接する状態と、レンズ部の延出方向が前記ボディ部の延出方向に対して略直角となる状態と、を選択的に取り得ることを特徴とする撮像装置。
【請求項２】
静止画像または動画像を撮影する撮像装置であって、
ボディ部と、
当該ボディ部の延出方向に交差する方向を回転軸として、前記ボディ部に回転可能に設けられたレンズ部と、を備え、
前記レンズ部は、前記ボディ部の延出方向に交差する方向に延出する柱形状であり、当該レンズ部の先端側には、レンズが設けられ、
前記ボディ部には、画像を表示する表示部が設けられ、
前記ボディ部は、前記ボディ部の延出方向に交差する方向に延出する第１ボディ部と、
前記ボディ部の延出方向を回転軸として、前記第１ボディ部に回転可能に設けられた第２ボディ部と、を備え、
前記レンズ部は、前記第１ボディ部に回転可能に設けられ、
前記表示部は、前記第２ボディ部に設けられることを特徴とする撮像装置。
【請求項３】
静止画像または動画像を撮影する撮像装置であって、
ボディ部と、
当該ボディ部の延出方向に交差する方向を回転軸として、前記ボディ部に回転可能に設けられたレンズ部と、を備え、
前記レンズ部は、前記ボディ部の延出方向に交差する方向に延出する柱形状であり、当該レンズ部の先端側には、レンズが設けられ、
前記ボディ部には、画像を表示する表示部が設けられ、
前記レンズ部の延出方向が前記ボディ部の延出方向に対して略平行であり、かつ、前記ボディ部の表示部が前記レンズ部の反対側に向いた状態を、取り得ることを特徴とする撮像装置。
【請求項４】
静止画像または動画像を撮影する撮像装置であって、
ボディ部と、
当該ボディ部の延出方向に交差する方向を回転軸として、前記ボディ部に回転可能に設けられたレンズ部と、を備え、
前記レンズ部は、前記ボディ部の延出方向に交差する方向に延出する柱形状であり、当該レンズ部の先端側には、レンズが設けられ、
前記ボディ部には、画像を表示する表示部が設けられ、
前記レンズ部は、前記ボディ部に連結される略円柱形状のレンズ部本体と、当該レンズ部本体の中心軸を回転軸として回転可能に設けられた略円柱形状のレンズ回転部と、を備え、
前記レンズ回転部が前記レンズ部本体に対して回転することにより、撮影設定を選択可能であることを特徴とする撮像装置。
【請求項５】
前記レンズ部には、当該レンズ部を手で押えるためのバンドが設けられることを特徴とする請求項１から４のいずれか１項に記載の撮像装置。
【請求項６】
前記レンズ部の延出方向が前記ボディ部の延出方向に対して略直角となり、かつ、前記レンズ部の基端側が露出した状態を、取り得ることを特徴とする請求項１から５のいずれか１項に記載の撮像装置。
【請求項７】
前記レンズ部の延出方向が前記ボディ部の延出方向に対して略直角となり、かつ、前記ボディ部の表示部が前記レンズ部側に向いた状態を、取り得ることを特徴とする請求項１から６のいずれか１項に記載の撮像装置。
【請求項８】
前記レンズ部は、円柱形状または角柱形状であることを特徴とする請求項１に記載の撮像装置。
【発明の詳細な説明】
【技術分野】
【０００１】
本発明は、撮像装置に関する。詳しくは、静止画像または動画像を撮影する撮像装置に関する。
【背景技術】
【０００２】
従来より、被写体をＣＣＤやＭＯＳ型の固体撮像素子を用いて撮像するデジタルカメラやデジタルビデオカメラ等の撮像装置が知られている。
この撮像装置としては、被写体を撮影する状態や収納する状態など、全体形状を変形可能なものがある。例えば、レンズが設けられた第１ボディ部と、液晶モニタが設けられた第２ボディ部と、第１ボディ部と第２ボディ部とを開閉可能に支持する第３ボディ部と、を備える撮像装置がある（特許文献１参照）。
【０００３】
この撮像装置では、第１ボディ部および第２ボディ部は、それぞれ、略直方体形状である。また、レンズは、撮像装置を閉じた収納状態で、第２ボディ部に対向する面の反対側の面に設けられている。
【０００４】
【特許文献１】特開２０００−９８４７０号公報
【発明の開示】
【発明が解決しようとする課題】
【０００５】
しかしながら、上述の撮像装置の構造では、撮像装置を閉じた収納状態で第２ボディ部に対向する面の反対側の面にレンズを設けたので、プリズムを用いても、焦点距離が短くなり、小型のレンズしか搭載できない。
【０００６】
本発明は、大型レンズを搭載可能でかつ変形可能な撮像装置を提供することを目的とする。
【課題を解決するための手段】
【０００７】
請求項１に記載の発明に係る撮像装置は、静止画像または動画像を撮影する撮像装置であって、ボディ部と、当該ボディ部の延出方向に交差する方向を回転軸として、前記ボディ部に回転可能に設けられたレンズ部と、を備え、前記レンズ部は、前記ボディ部の延出方向に交差する方向に延出する略同一径が連続する柱形状であり、当該レンズ部の先端側には、レンズが設けられ、前記ボディ部には、画像を表示する表示部が設けられ、レンズ部の延出方向が前記ボディ部の延出方向に対して略平行となり、該レンズ部と該ボディ部が略接する状態と、レンズ部の延出方向が前記ボディ部の延出方向に対して略直角となる状態と、を選択的に取り得ることを特徴とする。
【０００８】
請求項２に記載の発明に係る撮像装置は、静止画像または動画像を撮影する撮像装置であって、ボディ部と、当該ボディ部の延出方向に交差する方向を回転軸として、前記ボディ部に回転可能に設けられたレンズ部と、を備え、前記レンズ部は、前記ボディ部の延出方向に交差する方向に延出する柱形状であり、当該レンズ部の先端側には、レンズが設けられ、前記ボディ部には、画像を表示する表示部が設けられ、前記ボディ部は、前記ボディ部の延出方向に交差する方向に延出する第１ボディ部と、前記ボディ部の延出方向を回転軸として、前記第１ボディ部に回転可能に設けられた第２ボディ部と、を備え、前記レンズ部は、前記第１ボディ部に回転可能に設けられ、前記表示部は、前記第２ボディ部に設けられることを特徴とする。
【０００９】
請求項３に記載の発明に係る撮像装置は、静止画像または動画像を撮影する撮像装置であって、ボディ部と、当該ボディ部の延出方向に交差する方向を回転軸として、前記ボディ部に回転可能に設けられたレンズ部と、を備え、前記レンズ部は、前記ボディ部の延出方向に交差する方向に延出する柱形状であり、当該レンズ部の先端側には、レンズが設けられ、前記ボディ部には、画像を表示する表示部が設けられ、前記レンズ部の延出方向が前記ボディ部の延出方向に対して略平行であり、かつ、前記ボディ部の表示部が前記レンズ部の反対側に向いた状態を、取り得ることを特徴とする。
【００１０】
請求項４に記載の発明に係る撮像装置は、静止画像または動画像を撮影する撮像装置であって、ボディ部と、当該ボディ部の延出方向に交差する方向を回転軸として、前記ボディ部に回転可能に設けられたレンズ部と、を備え、前記レンズ部は、前記ボディ部の延出方向に交差する方向に延出する柱形状であり、当該レンズ部の先端側には、レンズが設けられ、前記ボディ部には、画像を表示する表示部が設けられ、前記レンズ部は、前記ボディ部に連結される略円柱形状のレンズ部本体と、当該レンズ部本体の中心軸を回転軸として回転可能に設けられた略円柱形状のレンズ回転部と、を備え、前記レンズ回転部が前記レンズ部本体に対して回転することにより、撮影設定を選択可能であることを特徴とする。
【００１１】
請求項５に記載の発明に係る撮像装置は、請求項１から４のいずれかに記載の撮像装置において、前記レンズ部には、当該レンズ部を手で押えるためのバンドが設けられることを特徴とする。
【００１２】
請求項６に記載の発明に係る撮像装置は、請求項１から５のいずれかに記載の撮像装置において、前記レンズ部の延出方向が前記ボディ部の延出方向に対して略直角となり、かつ、前記レンズ部の基端側が露出した状態を、取り得ることを特徴とする。
【００１３】
請求項７に記載の発明に係る撮像装置は、請求項１から６のいずれかに記載の撮像装置において、前記レンズ部の延出方向が前記ボディ部の延出方向に対して略直角となり、かつ、前記ボディ部の表示部が前記レンズ部側に向いた状態を、取り得ることを特徴とする。
【００１４】
請求項８に記載の発明に係る撮像装置は、請求項１に記載の撮像装置において、前記レンズ部は、円柱形状または角柱形状であることを特徴とする。
【発明の効果】
【００１５】
本発明によれば、撮像装置を変形させて、撮影状態や収納状態など任意の状態にすることができる。また、レンズ部を柱形状としたので、焦点距離を長くでき、レンズ部の先端面に大型レンズを搭載できる。
【発明を実施するための最良の形態】
【００１６】
以下、本発明の一実施形態を図面に基づいて説明する。
図１は、本発明の一実施形態に係る撮像装置としてのデジタルカメラ１の外観を示す斜視図である。図２は、デジタルカメラ１の分解斜視図である。
【００１７】
デジタルカメラ１は、矩形平盤状のボディ部２と、一対のヒンジ部４０を介して、ボディ部２の延出方向に交差する方向を回転軸４０Ａ、４０Ｂとして、ボディ部２に回転可能に設けられたレンズ部３と、を備える。
【００１８】
ボディ部２は、ボディ部２の延出方向に交差する方向に延出する略直方体形状の第１ボディ部１０と、ボディ部２の延出方向を回転軸２０Ａとして、第１ボディ部１０に回転可能に設けられた略直方体形状の第２ボディ部２０と、を備える。
【００１９】
第２ボディ部２０は、回転軸２０Ａに沿って延出しており、第１ボディ部１０と第２ボディ部２０とは、対向面１１、２１で互いに対向するように配置される。
また、第１ボディ部１０の対向面１１と、第２ボディ部２０の対向面２１とは、略同一形状であり、回転軸２０Ａは、第１ボディ部１０および第２ボディ部２０の対向面１１、２１に対して略垂直となっている。
【００２０】
この第２ボディ部２０の延出方向に沿った側面２２には、画像を表示する表示部２３およびモード切替キーおよびＭＥＮＵキーとしての操作キー２４が設けられる。
また、第２ボディ部２０の延出方向に沿っておりかつ側面２２に隣接する側面２５には、シャッタキー２６が設けられる。
【００２１】
以上の第２ボディ部２０は、図３に示すように、回転軸２０Ａを中心として、第１ボディ部１０に対して回転する。
【００２２】
レンズ部３は、回転軸４０Ａ、４０Ｂに交差する方向に延出する円柱形状であり、第１ボディ部１０に連結される略円柱形状のレンズ部本体３２と、このレンズ部本体３２の中心軸３０Ａを回転軸として図１中矢印方向に回転可能に設けられた略円柱形状のレンズ回転部３３と、を備える。
【００２３】
レンズ部本体３２の第１ボディ部１０側の端面には、動画像を撮影するための動画撮影ボタン３４が設けられている。
レンズ回転部３３の先端面には、大型レンズ３１が設けられる。また、レンズ回転部３３の外周面には、手の甲を押えるためのバンド３５が設けられている。
【００２４】
一対のヒンジ部４０の一端側は、第１ボディ部１０の延出方向を第１ヒンジ回転軸４０Ａとして、第１ボディ部１０の延出方向両端面１２、１３に回転可能に連結され、他端側は、レンズ部３の基端側の径方向を第２ヒンジ回転軸４０Ｂとして、レンズ部３のレンズ部本体３２に回転可能に連結される。
【００２５】
以上のデジタルカメラ１は、例えば、以下の５つの状態を選択的に取り得る。
静止画像を撮影する場合、ユーザは、デジタルカメラ１を図１に示す状態にする。すなわち、レンズ部３の延出方向を、第２ボディ部２０の延出方向に対して略直角とする。このとき、一対のヒンジ部４０の延出方向を、レンズ部３の延出方向と略平行にする。
また、第２ボディ部２０の表示部２３が設けられた側面２２を、レンズ部３とは反対側に向ける。
【００２６】
この状態になると、デジタルカメラ１は、自動的に静止画撮影モードとなる。
ユーザは、例えば、バンド３５に左手を通して、この左手でレンズ部３を把持し、レンズ部３を被写体に向けるとともに、レンズ部３のレンズ回転部３３を回転させることにより、フォーカス、ズーム、連写速度、縦撮りまたは横撮りなどの撮影設定を選択する。また、右手で操作キー２４を操作することにより、その他の撮影設定を選択する。
【００２７】
デジタルカメラ１を収納する場合、ユーザは、デジタルカメラ１を図４に示す状態にする。すなわち、レンズ部３の延出方向と第２ボディ部２０の延出方向とを略平行にする。このとき、一対のヒンジ部４０の延出方向を、レンズ部３の延出方向および第２ボディ部２０の延出方向に対して略直角とする。
また、第２ボディ部２０の表示部２３が設けられた側面２２を、レンズ部３に対向させておく。
【００２８】
プレビュー表示させる場合、ユーザは、デジタルカメラ１を図５に示す状態にする。すなわち、レンズ部３の延出方向と第２ボディ部２０の延出方向とを略平行にする。ここで、一対のヒンジ部４０の延出方向を、レンズ部３の延出方向および第２ボディ部２０の延出方向に対して略直角とする。
また、第２ボディ部２０の表示部２３が設けられた側面２２を、レンズ部３の反対側つまり外側に向ける。
この状態になると、デジタルカメラ１は、自動的に表示部２３にプレビュー表示を行う。なお、これに限らず、ユーザが操作キー２４を操作することにより、表示部２３にプレビュー表示してもよい。
【００２９】
ユーザが自分自身を撮影する場合、ユーザは、デジタルカメラ１を図６に示す状態にする。すなわち、レンズ部３の延出方向を、第２ボディ部２０の延出方向に対して略直角とする。このとき、一対のヒンジ部４０の延出方向を、第２ボディ部２０の延出方向と略平行にする。
また、第２ボディ部２０の表示部２３が設けられた側面２２を、レンズ部３側に向ける。
【００３０】
この状態になると、デジタルカメラ１は、自動的に静止画撮影モードの自分撮りモードとなり、レンズ３１で撮影された映像に基づく画像は、上下が反転されて、表示部２３に表示される。
ユーザは、例えば、バンド３５に左手を通して、この左手でレンズ部３を把持し、レンズ部３を被写体である自分に向けるとともに、右手で操作キー２４およびシャッタキー２６を操作して、ユーザ自身を撮影する。
【００３１】
動画像を撮影する場合、ユーザは、デジタルカメラ１を図７に示す状態にする。すなわち、レンズ部３の延出方向を、第２ボディ部２０の延出方向に対して略直角とする。このとき、一対のヒンジ部４０の延出方向を、第２ボディ部２０の延出方向と略平行にする。
また、第２ボディ部２０の表示部２３が設けられた側面２２を、レンズ部３とは反対側に向ける。これにより、レンズ部３の端面に設けられた動画撮影ボタン３４は、表示部２３と同一平面上に露出する。
この状態になると、デジタルカメラ１は、自動的に動画撮影モードとなる。
ユーザは、例えば、バンド３５に右手を通して、この右手でレンズ部３を把持し、レンズ部３を被写体に向けるとともに、表示部２３の画像を見ながら、右手で動画撮影ボタン３４を操作する。
【００３２】
本実施形態によれば、以下のような効果がある。
（１）レンズ部３を円柱形状としたので、焦点距離を長くでき、レンズ部３の先端面に大型レンズ３１を搭載できる。
【００３３】
（２）デジタルカメラ１を変形させて、図１に示す静止画像撮影状態、図４に示す収納状態、図５に示すプレビュー表示状態、図６に示す自分撮影状態、図７に示す動画像撮影状態の５つの状態の中の任意の状態を取ることができる。
そして、デジタルカメラ１を静止画撮影状態とすることにより、従来の一眼レフと同様に取り扱うことができる。
また、デジタルカメラ１を収納状態とすることにより、表示部２３を保護しつつ、コンパクトに収納できる。
また、デジタルカメラ１をプレビュー表示状態とすることにより、撮影した静止画像や動画像のプレビュー表示が見やすくなる。
【００３４】
（３）バンド３５を設けたので、静止画像や動画像を撮影する場合に、デジタルカメラ１を把持しやすい。
【００３５】
なお、本発明は前記実施形態に限定されるものではなく、本発明の目的を達成できる範囲での変形、改良等は本発明に含まれるものである。
例えば、本実施形態では、レンズ部３を円柱形状としたが、これに限らず、レンズ部を、角柱形状としてもよい。
このようにすれば、収納状態を取った場合に、第２ボディ部２０をレンズ部に密着させることができ、取り扱いやすくなる。
【００３６】
また、本実施形態では、一対のヒンジ部４０により、レンズ部３をボディ部２に対して回転可能に設けたが、これに限らず、蛇腹形状のベローズ構造により、レンズ部３をボディ部２に対して回転可能に設けてもよい。
また、レンズ部３の外周面にポップアップ方式のフラッシュを設けてもよいし、第２ボディ部２０の表示部２３が設けられた側面２２とは反対側の側面に、フラッシュを設けてもよい。
【図面の簡単な説明】
【００３７】
【図１】本発明の一実施形態に係る撮像装置の静止画像撮影状態を示す斜視図である。
【図２】前記実施形態に係る撮像装置の分解斜視図である。
【図３】前記実施形態に係る撮像装置の第２ボディ部を第１ボディ部に対して傾斜させた状態を示す斜視図である。
【図４】前記実施形態に係る撮像装置の収納状態を示す斜視図である。
【図５】前記実施形態に係る撮像装置のプレビュー表示状態を示す斜視図である。
【図６】前記実施形態に係る撮像装置の自分撮影状態を示す斜視図である。
【図７】前記実施形態に係る撮像装置の動画像撮影状態を示す斜視図である。
【符号の説明】
【００３８】
１      デジタルカメラ（撮像装置）
２      ボディ部
３      レンズ部
１０    第１ボディ部
２０    第２ボディ部
２０Ａ  回転軸
２３    表示部
３０Ａ  中心軸
３１    レンズ
３２    レンズ部本体
３３    レンズ回転部
３５    バンド
４０Ａ、４０Ｂ  回転軸
【図１】
0005040771.tif 000002
【図２】
0005040771.tif 000003
【図３】
0005040771.tif 000004
【図４】
0005040771.tif 000005
【図５】
0005040771.tif 000006
【図６】
0005040771.tif 000007
【図７】
0005040771.tif 000008